(57)【特許請求の範囲】
【請求項１】
搬入される生籾を荷受する荷受部及び乾燥後の生籾を玄米に調製する精選・調製部等を格納する建屋を設けてなる穀物乾燥調製施設であって、
前記生籾を乾燥する穀物乾燥機を前記建屋外に設置し、前記穀物乾燥機には該穀物乾燥機全体を覆う薄板鋼板からなるカバー体を設け、前記穀物乾燥機の排風ファンを前記カバー体から突設し、前記排風ファンに連結した排風ダクトから排出される熱風を供給する、回転集塵ドラムを備えた乾式集塵機を前記穀物乾燥機に近接して配設するとともに、前記乾式集塵機で清浄化されて排出される熱風の一部を前記カバー体に戻す還流ダクトを設けたことを特徴とする穀物乾燥調製施設における屋外型乾燥機。
【請求項２】
前記穀物乾燥機を複数台連座し、前記カバー体は前記複数の穀物乾燥機を一体的に覆ってなる請求項１の穀物乾燥調製施設における屋外型乾燥機。
【請求項３】
前記乾式集塵機で発生する塵埃をバイオマス熱風発生炉に供給して得られた熱風を、前記穀物乾燥機に供給してなる請求項１又は２の穀物乾燥調製施設における屋外型乾燥機。
【発明の詳細な説明】
【技術分野】
【０００１】
本発明は、カントリーエレベータやライスセンターといった穀物乾燥調製施設に係り、特に、穀物乾燥調製施設における屋外型乾燥機に関する。
【背景技術】
【０００２】
荷受けした生籾等を穀物乾燥機で乾燥してサイロに貯蔵し、必要に応じて前記サイロから取り出して玄米に精選・調製して出荷する施設であるカントリーエレベータ等の穀物乾燥調製施設は周知である（例えば、特許文献１参照）。
【０００３】
この種のカントリーエレベータにおける穀物乾燥機は設備高さが大きいので（１０ｍ超）、建屋の高さを可能な限り低くして建築コストを抑えるために屋外に設置されることがある。その際、穀物乾燥機が直接外気に晒（さら）されることにより乾燥作用が外気温に左右されやすく、特に、夜間や晩秋においては外気温が低くなることにより、穀物乾燥機の内壁面に結露する問題があることから、該穀物乾燥機を囲繞（にょう）すべく専用の建屋を設けている（特許文献２参照）。
【０００４】
前記特許文献２に記載された、屋外型の穀物乾燥機を内蔵する建屋は、穀物乾燥機と建屋の外壁面とで形成される空間が設けられ、前記外壁面に設けたドアを介して前記空間に作業者が出入可能としてあり、これにより、前記穀物乾燥機の点検・修理等を行うことができるものである。
【０００５】
ところで、上述したように、穀物乾燥機を屋外型として穀物乾燥機専用の建屋とすることにより、カントリーエレベータ全体の建築コストをある程度抑制することができるものの、かかる穀物乾燥機専用の建屋は、高度な建築基準を満たす必要のある堅牢な建築物であって、依然としてコスト高を払しょくできないものであった。
【０００６】
【先行技術文献】
【特許文献】
【０００７】
【特許文献１】特開２００４−３２１０６４号公報
【特許文献２】実開平４−２２０３９号公報
【発明の概要】
【発明が解決しようとする課題】
【０００８】
そこで、本発明は、外気温の低下によって乾燥能力が落ちたり内壁面に結露を生じたりすることがなく、かつ、更なるコストダウンを図ることのできる穀物乾燥調製施設における屋外型乾燥機を提供することを目的とする。
【課題を解決するための手段】
【０００９】
上記課題を解決するため、本発明は、
搬入される生籾を荷受する荷受部及び乾燥後の生籾を玄米に調製する精選・調製部等を格納する建屋を設けてなる穀物乾燥調製施設であって、
前記生籾を乾燥する穀物乾燥機を前記建屋外に設置し、前記穀物乾燥機には該穀物乾燥機全体を覆う薄板鋼板からなるカバー体を設け、前記穀物乾燥機の排風ファンを前記カバー体から突設し、前記排風ファンに連結した排風ダクトから排出される熱風を供給する、回転集塵ドラムを備えた乾式集塵機を前記穀物乾燥機に近接して配設するとともに、前記乾式集塵機で清浄化されて排出される熱風の一部を前記カバー体に戻す還流ダクトを設けたことを特徴とする。
【００１０】
前記穀物乾燥機を複数台連座し、前記カバー体は前記複数の穀物乾燥機を一体的に覆うことが好ましい。
【００１１】
前記乾式集塵機で発生する塵埃を、バイオマス熱風発生炉に供給して得られた熱風を前記穀物乾燥機に供給することもできる。
【発明の効果】
【００１２】
本発明の穀物乾燥調製施設における屋外型乾燥機によれば、屋外に設置した穀物乾燥機全体を比較的断熱効果の少ない廉価なカバー体で覆うのであるが、該穀物乾燥機から排出された熱風を乾式集塵機で清浄化して得られた熱風の一部を前記カバー体内に戻して該カバー体内に充満させることにより、該穀物乾燥機の乾燥作用が外気温の低下によって左右されたり、結露問題が生じることがなく、従来の穀物乾燥機を格納する高価な建屋に比して大幅にコスト安を実現できる。さらに、前記穀物乾燥機と前記乾式集塵機とを近接して配設することにより長尺な排風ダクト配管や中継ファンが削減できる。
【００１３】
本発明の穀物乾燥調製施設における屋外型乾燥機によれば、前記穀物乾燥機を複数台連座し、前記カバー体は前記複数の穀物乾燥機を一体的に覆うことにより、大規模な穀物乾燥調製貯蔵施設であっても実施可能である。
【００１４】
また、本発明によれば、前記乾式集塵機で発生する塵埃を、バイオマス熱風発生炉に供給して得られた熱風を前記穀物乾燥機に供給することにより、塵埃の処理が不要になるとともに、従来の灯油燃焼バーナによる熱風生成に比べてランニングコストが削減できる。  
【図面の簡単な説明】
【００１５】
【図１】本発明の実施の形態における穀物乾燥調製施設の屋外型乾燥機を模式的に示す正面図。
【図２】本発明の実施の形態における穀物乾燥調製施設の屋外型乾燥機を模式的に示す平面図。
【図３】本発明の実施の形態における穀物乾燥調製施設の屋外型乾燥機を模式的に示す即面図。
【発明を実施するための形態】
【００１６】
本発明の実施の形態について説明する。
図１は、本発明の実施の形態における穀物乾燥調製施設における屋外型乾燥機の正面模式図である。
なお、前記穀物乾燥調製施設における、荷受部、精選・調製部及びこれらを格納する建屋等は図示を省略してある。
本発明の実施の形態における穀物乾燥調製施設における屋外型乾燥機は、穀物乾燥機１Ａ〜１Ｃを連座して設置してある。前記穀物乾燥機１Ａ〜１Ｃは、下部に熱風乾燥部２Ａ〜２Ｃを、上部に穀物貯留部３Ａ〜３Ｃをそれぞれ形成し、前記穀物貯留部３Ａ〜３Ｃから前記熱風乾燥部２Ａ〜２Ｃへ流下して乾燥作用を受けた生籾等の穀物を、再度、前記穀物貯留部３Ａ〜３Ｃへ戻して循環させるための揚穀機４Ａ〜４Ｃがそれぞれ立設される。
なお、前記穀物乾燥機１Ａ〜１Ｃは、該穀物乾燥調製施設の建屋内に設けた操作室（図示せず）において、穀物の張込み、排出、乾燥運転等が遠隔操作されるよう構成される。
【００１７】
連座した前記穀物乾燥機１Ａ〜１Ｃの全体はカバー体５によって覆われている。前記カバー体５は、前記穀物乾燥機１Ａ〜１Ｃの全体を一体的に覆うべく軽量な金属製の柱材や梁材によって箱型の枠体を形成し（図示せず）、該枠体に薄板鋼板をボルト・ナットで螺着して形成する。前記薄板鋼板としては、例えば、キーストンプレートやデッキプレート等を用いるとよい。
また、前記カバー体５の素材として防火又は防炎性能を有する適宜なビニールシート類を選択することもできる。この場合は、前記ビニールシート端縁部を前記枠体に紐材で縫い合わせて張着することによって前記カバー体５を形成する。
【００１８】
前記穀物乾燥機１Ａ〜１Ｃの各熱風乾燥部２Ａ〜２Ｃの背面側には、前記カバー体５から突出して排風ファン６Ａ〜６Ｃを設け、該排風ファン６Ａ〜６Ｃの各吐出部は排風ダクト７によって乾式集塵機８下部の一次沈降室９に連通される。前記乾式集塵機８は前記穀物乾燥機１Ａ〜１Ｃの背面側に近接して設けることにより、前記排風ダクト７が短縮でき、そのため、配管工事が容易になって中継ファンも不要となる。
前記一次沈降室９の上方には集塵室１０を設け、該集塵室１０内には乾式の集塵ドラム１１がモータ（図示せず）によって軸中心周りに回転可能な状態で横設される。周知のように、前記集塵ドラム１１の全周面には粉塵を捕捉するためのフィルタ１２が周設されるとともに、前記フィルタ１２の周面には前記フィルタ１２が補足した粉塵を吸引・除去するため、軸方向に３つの吸引ノズル１３Ａ〜１３Ｃが配設される。前記吸引ノズル１３Ａ〜１３Ｃはサイクロン集塵器（図示せず）に接続されて粉塵が回収される。
【００１９】
前記集塵ドラム１１の一端面は閉じられるとともに、その他端面は前記集塵室１０の一側に区画形成した清浄空気室１５内に開口し、前記清浄空気室１５の上部には清浄空気排出口１６が設けられる。前記清浄空気排出口１６から大気中に排出される清浄化された熱風の一部は、前記清浄空気排出口１６と前記カバー体５との間を接続する熱風還流ダクト１８によって前記カバー体５内に戻される。
【００２０】
一方、前記一次沈降室９は底部がホッパ状に形成されており、該ホッパ下端に沿ってベルトコンベア１４が横設される。前記ベルトコンベア１４の排出部はエアロック機構によって空気の吹き抜けが防止される。また、前記ベルトコンベア１４の搬送終端部はバイオマス熱風発生炉１７の原料供給部にエア搬送装置等（図示せず）によって連絡される。
【００２１】
前記バイオマス熱風発生炉１７では、主として、前記ベルトコンベア１４で搬送される粉塵を原料として熱風を生成し、この熱風を前記穀物乾燥機１Ａ〜１Ｃの熱風乾燥部２Ａ〜２Ｃに供給すべく、前記バイオマス熱風発生炉１７と前記各穀物乾燥機１Ａ〜１Ｃとを連絡する乾燥用熱風ダクト１９を設ける。
なお、前記各穀物乾燥機１Ａ〜１Ｃには、それぞれ熱風生成用のバーナ（図示せず）を設け、前記バイオマス熱風発生炉１７で生成される熱風を供給されなくても穀物の乾燥を行えるように構成するとよい。
【００２２】
上述したように、本発明の実施の形態においては、バイオマス熱風発生炉１７によって生成された熱風が各穀物乾燥機１Ａ〜１Ｃの熱風乾燥部２Ａ〜２Ｃへ供給され、穀物貯留部３Ａ〜３Ｃから前記熱風乾燥部２Ａ〜２Ｃへ流下する生籾等を乾燥ずる。乾燥作用を受けた前記生籾等は揚穀機４Ａ〜４Ｃによって前記穀物貯留部３Ａ〜３Ｃに戻されて、再度前記熱風乾燥部２Ａ〜２Ｃにおいて乾燥作用を受け、前記生籾等が所定の水分量になるまで前記循環乾燥が行われる。
【００２３】
前記熱風乾燥部２Ａ〜２Ｃに供給される乾燥用熱風は、前記バイオマス熱風発生炉１７で生成したものでなく、前記各熱風乾燥部２Ａ〜２Ｃに備えたバーナ等からなる熱風発生炉（図示せず）で生成することもある。
また、本実施の形態においては、前記揚穀機４Ａ〜４Ｃによって穀物を自己循環する場合について説明したが、穀物貯留サイロ群の間隙に形成される副サイロと前記穀物乾燥機１Ａ〜１Ｃとの間で穀物を循環させながら乾燥することもできる。
【００２４】
前記熱風乾燥部２Ａ〜２Ｃにおいては、排風ファン６Ａ〜６Ｃによる吸引作用により、生籾等に対して乾燥作用を施した乾燥用熱風は、排風として排風ダクト７を経て乾式集塵機８の一次沈降室９内に排出される。前記一次沈降室９において、前記排風中の比較的重量の大きな稲藁（わら）片等が失速して落下する一方、比較的軽量な芒（のぎ）片その他の粉塵は、集塵室１０内において低速回転する集塵ドラム１１のフィルタに補足されて吸引ノズル１３Ａ〜１３Ｃによって吸引除去される。
【００２５】
前記一次沈降室９内底部に落下した稲藁片等は、前記一次沈降室９底部に設けたベルトコンベア１４によって搬送され、バイオマス熱風発生炉１７の原料ホッパに供給される。前記バイオマス熱風発生炉１７においては、前記稲藁片等を原料として熱風を生成し、前記穀物乾燥機１Ａ〜１Ｃの乾燥用熱風として利用される。
前記吸引ノズル１３Ａ〜１３Ｃによって吸引された粉塵類は、サイクロンコレクタ（図示せず）に搬送されて粉塵類が分離・回収される。
【００２６】
前記集塵ドラム１１周面のフィルタを通過した熱風は粉塵が除去された清浄空気となり、前記集塵ドラム１１の一端開口部から清浄空気室１５を経過し、清浄空気排出口１６から大気中に放出される。
ここで、前記清浄空気排出口１６から放出される清浄化された熱風の一部が、前記清浄空気排出口１６と前記カバー体５との間に設けた熱風還流ダクト１８を経て前記カバー体５内に送風される。前記乾式集塵機８は前記穀物乾燥機１Ａ〜１Ｃに近接して設置されるため、前記カバー体５内に還流される熱風の温度は、前記熱風乾燥部２Ａ〜２Ｃを通過した時の温度（例えば５０℃）に比して大きく下がることはなく（例えば４０℃程度に低下）、前記カバー体５内に充満する排気熱風によって、穀物乾燥機１Ａ〜１Ｃの雰囲気温度は一定程度の高温状態に保持され、夜間や晩秋であっても、前記穀物乾燥機１Ａ〜１Ｃの壁面に結露することがない。
さらに、前記熱風乾燥部２Ａ〜２Ｃにそれぞれバーナ等の熱風発生炉を設けた場合には、前記カバー５内の比較的高温状態の空気が前記熱風乾燥部２Ａ〜２Ｃに供給されるので前記バーナの燃焼効率が向上する。
【００２７】
上記した本発明の実施の形態においては、前記穀物乾燥機１Ａ〜１Ｃにそれぞれ排風ファン６Ａ〜６Ｃを設けて前記穀物乾燥機１Ａ〜１Ｃからの排風を前記乾式集塵機８へ送風したが、前記排風ファン６Ａ〜６Ｃに代えて、前記乾式集塵機８の清浄空気排出口１６側へ送風機を設けて吸引することもできる。その場合、前記送風機の仕様は、前記穀物乾燥機１Ａ〜１Ｃの乾燥能力や前記集塵ドラム１１の集塵能力等に応じて決定されるのはいうまでもない。
【産業上の利用可能性】
【００２８】
本発明の穀物乾燥調製施設における屋外型乾燥機は、建屋の建築コストの比率が大きい穀物乾燥調製施設において、施設全体のコスト安に大きく貢献できるため、利用価値が高い。
【符号の説明】
【００２９】
１Ａ〜１Ｃ  穀物乾燥機
２Ａ〜２Ｃ  熱風乾燥部
３Ａ〜３Ｃ  穀物貯留部
４Ａ〜４Ｃ  揚穀機
５  カバー体
６Ａ〜６Ｃ  排風ファン
７  排風ダクト
８  乾式集塵機
９  一次沈降室
１０  集塵室
１１  集塵ドラム
１２  フィルタ
１３Ａ〜１３Ｃ  吸引ノズル
１４  ベルトコンベア
１５  清浄空気室
１６  清浄空気排出口  
１７  バイオマス熱風発生炉
１８  熱風還流ダクト
１９  乾燥用熱風ダクト
【図１】
0006720693.tif 000002
【図２】
0006720693.tif 000003
【図３】
0006720693.tif 000004